【手続補正書】
【提出日】平成20年10月31日(2008.10.31)
【手続補正１】
【補正対象書類名】特許請求の範囲
【補正対象項目名】全文
【補正方法】変更
【補正の内容】
【特許請求の範囲】
【請求項１】
複数の放送波のチャンネルが記憶されているチャンネルリストからいずれかのチャンネルを選択することにより、当該チャンネルの放送波を受信する受信手段と、
この受信手段による放送波の受信中に、当該放送波の受信の劣化を判断する受信劣化判断手段と、
この受信劣化判断手段により前記受信が劣化していると判断すると、前記チャンネルリストにある他のチャンネルの放送波についての受信状態を判断する受信状態判断手段と、
この受信状態判断手段により判断された結果を、前記チャンネルリストと対応付けて記憶するよう制御する記憶制御手段と、
前記記憶制御手段によって記憶された他のチャンネルの放送波についての受信状態を表示する表示制御手段と、
を備えたことを特徴とする放送受信装置。
【請求項２】
前記受信状態判断手段による受信状態の判断が終了すると、前記受信手段によって受信されていた放送波のチャンネルに復帰する復帰手段更に備え、
前記表示制御手段は、前記復帰手段により復帰したときに、前記記憶制御手段によって記憶された他のチャンネルの放送波についての受信状態を表示することを特徴とする請求項１に記載の放送受信装置。
【請求項３】
前記受信状態判断手段は、前記チャンネルの放送波の受信が可能であるか否かを判断する第１の判断手段と、
前記第１の判断手段により前記チャンネルの放送波の受信が可能であると判断された場合、受信した放送波からＮＩＴ（Network Information Table）及び／又はＰＭＴ（Program Packet Table）データを取得することができるか否かを判断する第２の判断手段と、を更に備えることを特徴とする請求項１に記載の放送受信装置。
【請求項４】
前記記憶制御手段は前記第１の判断手段または第２の判断手段による判断結果を前記チャンネルリストと対応付けて記憶するよう制御し、
前記表示制御手段は、前記記憶制御手段によって記憶された判断結果を反映させた表示を行うことを特徴とする請求項３に記載の放送受信装置。
【請求項５】
前記表示制御手段は、前記受信手段によって受信されていたチャンネルの放送波の受信が不可能であるときに前記記憶制御手段によって記憶された他のチャンネルの放送波についての受信状態を表示することを特徴とする請求項１に記載の放送受信装置。
【請求項６】
電子番組表を取得する電子番組表取得手段を更に備え、
前記表示制御手段は、前記受信状態判断手段による判断結果に基づいて、前記電子番組表から前記他のチャンネルに対応する番組表を更に表示することを特徴とする請求項１に記載の放送受信装置。
【請求項７】
前記受信劣化判断手段による放送波の受信劣化はＢＥＲ(Bit Error rate)、ＰＥＲ（Packet Error Rate）、ＲＳＳＩ（Received Signal Strength Indicator）、Ｃ／Ｎ（Carrier to Noise Ratio）比の少なくとも何れか１つで判断することを特徴とする請求項１に記載の放送受信装置。
【請求項８】
複数の放送波のチャンネルが記憶されているチャンネルリストからいずれかのチャンネルを選択することにより、当該チャンネルの放送波を受信する受信ステップと、
この受信ステップによる放送波の受信中に、当該放送波の受信の劣化を判断する受信劣化判断ステップと、
この受信劣化判断ステップにより前記受信が劣化していると判断すると、前記チャンネルリストにある他のチャンネルの放送波についての受信状態を判断する受信状態判断ステップと、
この受信状態判断ステップにより判断された結果を、前記チャンネルリストと対応付けて記憶する記憶制御ステップと、
前記記憶制御ステップで記憶された他のチャンネルの放送波についての受信状態を表示する表示制御ステップと、
を含むことを特徴とする放送受信方法。
【請求項９】
コンピュータを、
複数の放送波のチャンネルが記憶されているチャンネルリストからいずれかのチャンネルを選択することにより、当該チャンネルの放送波を受信する受信手段、
この受信手段による放送波の受信中に、当該放送波の受信の劣化を判断する受信劣化判断手段、
この受信劣化判断手段により前記受信が劣化していると判断すると、前記チャンネルリストにある他のチャンネルの放送波についての受信状態を判断する受信状態判断手段、
この受信状態判断手段により判断された結果を、前記チャンネルリストと対応付けて記憶する記憶制御手段、
前記記憶制御手段によって記憶された他のチャンネルの放送波についての受信状態を表示する表示制御手段、
として機能させることを特徴とする放送受信プログラム。
【手続補正２】
【補正対象書類名】明細書
【補正対象項目名】０００６
【補正方法】変更
【補正の内容】
【０００６】
そこで、本発明の目的は、他のチャンネルの受信状態をユーザに通知し、ユーザが他のチャンネルの受信状況を把握できるようにすることである。
【手続補正３】
【補正対象書類名】明細書
【補正対象項目名】０００７
【補正方法】変更
【補正の内容】
【０００７】
上記課題を解決するため、請求項１に記載の発明は、複数の放送波のチャンネルが記憶されているチャンネルリストからいずれかのチャンネルを選択することにより、当該チャンネルの放送波を受信する受信手段と、この受信手段による放送波の受信中に、当該放送波の受信の劣化を判断する受信劣化判断手段と、この受信劣化判断手段により前記受信が劣化していると判断すると、前記チャンネルリストにある他のチャンネルの放送波についての受信状態を判断する受信状態判断手段と、この受信状態判断手段により判断された結果を、前記チャンネルリストと対応付けて記憶するよう制御する記憶制御手段と、前記記憶制御手段によって記憶された他のチャンネルの放送波についての受信状態を表示する表示制御手段と、を備えたことを特徴とする。
【手続補正４】
【補正対象書類名】明細書
【補正対象項目名】０００８
【補正方法】変更
【補正の内容】
【０００８】
請求項２に記載の発明は、請求項１記載の発明において、前記受信状態判断手段による受信状態の判断が終了すると、前記受信手段によって受信されていた放送波のチャンネルに復帰する復帰手段更に備え、前記表示制御手段は、前記復帰手段により復帰したときに、前記記憶制御手段によって記憶された他のチャンネルの放送波についての受信状態を表示することを特徴とする請求項１に記載の放送受信装置。
請求項３に記載の発明は、請求項１記載の発明において、前記受信状態判断手段は、前記チャンネルの放送波の受信が可能であるか否かを判断する第１の判断手段と、前記第１の判断手段により前記チャンネルの放送波の受信が可能であると判断された場合、受信した放送波からＮＩＴ（Network Information Table）及び／又はＰＭＴ（Program Packet Table）データを取得することができるか否かを判断する第２の判断手段と、を更に備えることを特徴とする。
【手続補正５】
【補正対象書類名】明細書
【補正対象項目名】０００９
【補正方法】変更
【補正の内容】
【０００９】
請求項４に記載の発明は、請求項３記載の発明において、前記記憶制御手段は前記第１の判断手段または第２の判断手段による判断結果を前記チャンネルリストと対応付けて記憶するよう制御し、前記表示制御手段は、前記記憶制御手段によって記憶された判断結果を反映させた表示を行うことを特徴とする。
【手続補正６】
【補正対象書類名】明細書
【補正対象項目名】００１０
【補正方法】変更
【補正の内容】
【００１０】
請求項５に記載の発明は、請求項１に記載の発明において、前記表示制御手段は、前記受信手段によって受信されていたチャンネルルの放送波の受信が不可能であるときに前記記憶制御手段によって記憶された他のチャンネルの放送波についての受信状態を表示することを特徴とする。
【手続補正７】
【補正対象書類名】明細書
【補正対象項目名】００１１
【補正方法】変更
【補正の内容】
【００１１】
請求項６に記載の発明は、請求項１に記載の発明において、電子番組表を取得する電子番組表取得手段を更に備え、前記表示制御手段は、前記受信状態判断手段による判断結果に基づいて、前記電子番組表から前記他のチャンネルに対応する番組表を更に表示することを特徴とする。
【手続補正８】
【補正対象書類名】明細書
【補正対象項目名】００１２
【補正方法】変更
【補正の内容】
【００１２】
請求項７に記載の発明は、請求項１に記載の発明において、前記受信劣化判断手段による放送波の受信劣化はＢＥＲ(Bit Error rate）、ＰＥＲ（Packet Error Rate）、ＲＳＳＩ（Received Signal Strength Indicator）又はC/N比の少なくとも何れか１つで判断することを特徴とする。
【手続補正９】
【補正対象書類名】明細書
【補正対象項目名】００１３
【補正方法】変更
【補正の内容】
【００１３】
請求項８記載の発明は、放送受信方法であって、複数の放送波のチャンネルが記憶されているチャンネルリストからいずれかのチャンネルを選択することにより、当該チャンネルの放送波を受信する受信ステップと、この受信ステップによる放送波の受信中に、当該放送波の受信の劣化を判断する受信劣化判断ステップと、この受信劣化判断ステップにより前記受信が劣化していると判断すると、前記チャンネルリストにある他のチャンネルの放送波についての受信状態を判断する受信状態判断ステップと、この受信状態判断ステップにより判断された結果を、前記チャンネルリストと対応付けて記憶する記憶制御ステップと、前記記憶制御ステップで記憶された他のチャンネルの受信状態を表示する表示制御ステップと、を含むことを特徴とする。
【手続補正１０】
【補正対象書類名】明細書
【補正対象項目名】００１４
【補正方法】変更
【補正の内容】
【００１４】
請求項９記載の発明は、放送受信プログラムであって、コンピュータを、複数の放送波のチャンネルが記憶されているチャンネルリストからいずれかのチャンネルを選択することにより、当該チャンネルの放送波を受信する受信手段、この受信手段による放送波の受信中に、当該放送波の受信の劣化を判断する受信劣化判断手段、この受信劣化判断手段により前記受信が劣化していると判断すると、前記チャンネルリストにある他のチャンネルの放送波についての受信状態を判断する受信状態判断手段、この受信状態判断手段により判断された結果を、前記チャンネルリストと対応付けて記憶する記憶制御手段、前記記憶制御手段によって記憶された他のチャンネルの放送波についての受信状態を表示する表示制御手段、として機能させることを特徴とする。
【手続補正１１】
【補正対象書類名】明細書
【補正対象項目名】００１５
【補正方法】変更
【補正の内容】
【００１５】
ユーザは視聴中のチャンネルの受信状況が悪化しても、視聴中のチャンネル以外の放送受信状態を知ることができ不安を和らげることができる。